(57)【要約】【課題】ティッシュペーパー収納箱のティッシュペーパー取り出し用の開口部は、対向する頂点間の距離を狭くしすぎると、ティッシュペーパー収納箱に手を入れた際に悪条件が重なった時に指をけがする可能性が否定できなかった。【解決手段】ティッシュペーパーの取り出し用開口部の狭くなった部分で指を挟まないようにして、ティッシュペーパーの補充が簡便に行える、ティッシュペーパー収納箱である。【選択図】図１０
2013227053.tif 000002
【特許請求の範囲】
【請求項１】
開口部から取り出すティッシュペーパーが収納された状態のティッシュペーパーにおける平均的なティッシュペーパーの折り目方向と平行又はほぼ平行な開口部中心を通過する直線を軸に開口部を１８０度回転すると非線対称であり、かつ、点対称であるティッシュペーパー取り出し用開口部が、
開口部中心を中点とした対角２対になだらかな凸形状曲線の開口部縁を有し、
その開口部縁は交互に設置され、、対角にある開口部縁の頂点の高さが同じ又はほぼ同じであり、かつ、向かい合う又は隣り合う開口部縁の頂点の高さが異なり、
開口部中心の直径３ｍｍの円以内及び開口部両端の直径２ｍｍの円以内の３カ所で必ず開口部縁又は蓋が存在せず開通した空間となり、
前述の２対のなだらかな凸形状曲線の開口部縁は、前述の３カ所の空間の間に位置して形づくられ、
前述の開口部両端の直径２ｍｍ以上の空間を形成する両側の開口部縁は、上記の向かい合い頂点の高さの異なるなだらかな凸形状曲線に接するなだらかな凹形状曲線により形づくられた開口部縁となり、
前述の開口部中心を含む空間を形成する開口部縁の向かい合う対角の形状が、両側のなだらかな凸形状曲線の開口部縁の頂点の高さより低い凸形状曲線よりなる小さい突起を１個ずつ接して形づくられる開口部縁形状となる、ティッシュペーパー取り出し用開口部を構成とし、
上記のティッシュペーパー取り出し用の開口部において、上記の向かい合う頂点の高さの異なるなだらかな凸形状曲線の最短の距離が１ｃｍ以上で、その最短距離の直線における中点から前述の頂点の突形状曲線に接するなだらかな凹形状曲線の開口部端までの距離が２ｃｍ以下であり、
かつ、対角に位置するなだらかな凸形状曲線の開口部縁において、高さの高い方のなだらかな凸形状曲線の開口部縁同士の開口部中心を通過する最短距離の直線距離が３ｃｍ以上であり、
かつ、前述の開口部中心を含む空間を形成する開口部縁の向かい合う対角に位置する小さい１個の突起の頂点の最短距離が５．５ｃｍ以上、であることを特徴とする、ティッシュペーパー収納箱。
【請求項２】
２枚のティッシュペーパーを一組にして、その一組のティッシュペーパーを半折りにして複数枚交互に折り重ねて一束にした、ティッシュペーパーにおいて、
一束のティッシュペーパーをティッシュペーパー収納箱に挿入後、ティッシュペーパー収納箱の開口部からはがす用のティッシュペーパーの包囲帯、を有したことを特徴とする、詰め替え用のティッシュペーパー。
【発明の詳細な説明】
【技術分野】
【０００１】
本発明はティッシュペーパー収納箱に関する。
【背景技術】
【０００２】
従来のティッシュペーパー及びティッシュペーパー収納箱において、以下０００３〜０００８及び図１〜図３により、説明する。
【０００３】
図１は一般的なティッシュペーパー一例の簡略図を示し、（A)はティッシュペーパーを広げた図で、（B)は（１’）の折り目に沿ってティッシュペーパーを半折りした図で、（１）はティッシュペーパー、（１’）はティッシュペーパーの折り目であり、点線円（１R）はティッシュペーパーの向かって右側部分付近、点線円（１L）はティッシュペーパーの向かって左側部分付近である。
【０００４】
以下、ティッシュペーパーを折った時にできる線を折り目とし、図１の（１’）で示し、その折り目と平行な次に出てくるティッシュペーパーの縁を継ぎ目とし、ティッシュペーパーが複数収納されている場合継ぎ目と折り目は連続している。
【０００５】
従来のティッシュペーパーは二枚一組で重ね合わせたものを一枚のティッシュペーパーとし、そのティッシュペーパーを一回折ったものが一般的であり、ティッシュペーパーの折ったそれぞれの面の大きさや折り目の線の位置は必ずしも均一ではなく、ティッシュペーパーの大きさや形状は様々なものがある。
【０００６】
図２は一般的なティッシュペーパー収納箱一例の簡略図を示し、図２の（A）はティッシュペーパー収納箱を斜めから見た図であり、（B）はティッシュペーパー収納箱を真上から見た図である。
【０００７】
図３は従来のティッシュペーパー収納箱のティッシュペーパー取り出し用の開口部がある面を真上から見た簡略図の一例を示し、図３の（A）はティッシュペーパー収納箱の開口部面にミシン目によって取り去る上蓋がついている図で、図３の（B）は（A）の開口部面から上蓋を取り外したティッシュペーパー収納箱の図で、図３の（C）は（A）のティッシュペーパー収納箱から取り外した上蓋の図である。
【０００８】
図３の（B）の開口部縁において、点（b）の開口部縁に指をつけたまま矢印方向に指をスライドさせると開口部が凹形状となっているので指が開口部に押しつけられミシン目との抵抗が大きくなることが解り、
図３の（C）の蓋において、点（ｃ）の蓋の縁に指をつけたまま矢印方向に指をスライドさせると縁が突形状となっているので上記の凹形状の縁に比べ指にミシン目の抵抗がかかりにくくなっていることが解る。
【先行技術文献】
【特許文献】
【０００９】
【特許文献１】特開２０１１−１０５３８７
【発明の概要】
【発明が解決しようとする課題】
【００１０】
特開２０１１−１０５３８７はティッシュペーパー収納箱のティッシュペーパー取り出し用の開口部の開口部にビニールティッシュペーパーが張ってないものの中ではティッシュペーパーがスムーズに取り出せホコリが入りにくいティッシュペーパー取り出し用の開口部であったが、対向する頂点間の距離を狭くしすぎると、ティッシュペーパー収納箱に手を入れた際に悪条件が重なった時に指をけがする可能性が否定できなかった。
【００１１】
また、従来のティッシュペーパーの収納箱に入っているティッシュペーパーは、２枚のティッシュペーパーを一組にして、その一組のティッシュペーパーを半折りにして複数枚交互に折り重ねて一束にしたものであったが、それらはまとめるためのものがなかったために、箱から一束になったティッシュペーパーを取り出すとばらばらになった。
【００１２】
よって上記の課題を解決するために本発明では、ティッシュペーパー取り出し用開口部の狭くなった部分で指を挟まないようにした、ティッシュペーパー収納箱のティッシュペーパー取り出し用開口部である。
【００１３】
また、本発明は、詰め替え用のティッシュペーパー収納箱に入れる、一束のティッシュペーパーを使いやすくした、ティッシュペーパーである。
【課題を解決するための手段】
【００１４】
上記目的を達成するために、本発明のティッシュペーパー収納箱の解決手段の一つは、
開口部から取り出すティッシュペーパーが収納された状態のティッシュペーパーにおける平均的なティッシュペーパーの折り目方向と平行又はほぼ平行な開口部中心を通過する直線を軸に開口部を１８０度回転すると非線対称であり、かつ、点対称であるティッシュペーパー取り出し用開口部が、
開口部中心を中点とした対角２対になだらかな凸形状曲線の開口部縁を有し、
その開口部縁は交互に設置され、、対角にある開口部縁の頂点の高さが同じ又はほぼ同じであり、かつ、向かい合う又は隣り合う開口部縁の頂点の高さが異なり、
開口部中心の直径３ｍｍの円以内及び開口部両端の直径２ｍｍの円以内の３カ所で必ず開口部縁又は蓋が存在せず開通した空間となり、
前述の２対のなだらかな凸形状曲線の開口部縁は、前述の３カ所の空間の間に位置して形づくられ、
前述の開口部両端の直径２ｍｍ以上の空間を形成する両側の開口部縁は、上記の向かい合い頂点の高さの異なるなだらかな凸形状曲線に接するなだらかな凹形状曲線により形づくられた開口部縁となり、
前述の開口部中心を含む空間を形成する開口部縁の向かい合う対角の形状が、両側のなだらかな凸形状曲線の開口部縁の頂点の高さより低い凸形状曲線よりなる小さい突起を１個ずつ接して形づくられる開口部縁形状となる、ティッシュペーパー取り出し用開口部を構成とし、
上記のティッシュペーパー取り出し用の開口部において、上記の向かい合う頂点の高さの異なるなだらかな凸形状曲線の最短の距離が１ｃｍ以上で、その最短距離の直線における中点から前述の頂点の突形状曲線に接するなだらかな凹形状曲線の開口部端までの距離が２ｃｍ以下であり、
かつ、対角に位置するなだらかな凸形状曲線の開口部縁において、高さの高い方のなだらかな凸形状曲線の開口部縁同士の開口部中心を通過する最短距離の直線距離が３ｃｍ以上であり、
かつ、前述の開口部中心を含む空間を形成する開口部縁の向かい合う対角に位置する小さい１個の突起の頂点の最短距離が５．５ｃｍ以上、であることを特徴とする。
【００１５】
本発明の詰め替え用のティッシュペーパーの解決手段の一つの、２枚のティッシュペーパーを一組にして、その一組のティッシュペーパーを半折りにして複数枚交互に折り重ねて一束にした、ティッシュペーパーにおいて、
一束のティッシュペーパーをティッシュペーパー収納箱に挿入後、ティッシュペーパー収納箱の開口部からはがす用のティッシュペーパーの包囲帯、を有したことを特徴とする。
【００１６】
上記００１４の作用は、開口部から取り出すティッシュペーパーが収納された状態のティッシュペーパーにおける平均的なティッシュペーパーの折り目方向と平行又はほぼ平行な開口部中心を通過する直線を軸に開口部を１８０度回転すると非線対称であり、かつ、点対称であるティッシュペーパー取り出し用開口部が、開口部中心を中点とした対角２対になだらかな凸形状曲線の開口部縁を有し、その開口部縁は交互に設置され、、対角にある開口部縁の頂点の高さが同じ又はほぼ同じであり、かつ、向かい合う又は隣り合う開口部縁の頂点の高さが異なり、開口部中心の直径３ｍｍの円以内及び開口部両端の直径２ｍｍの円以内の３カ所で必ず開口部縁又は蓋が存在せず開通した空間となり、前述の２対のなだらかな凸形状曲線の開口部縁は、前述の３カ所の空間の間に位置して形づくられ、前述の開口部両端の直径２ｍｍ以上の空間を形成する両側の開口部縁は、上記の向かい合い頂点の高さの異なるなだらかな凸形状曲線に接するなだらかな凹形状曲線により形づくられた開口部縁となり、前述の開口部中心を含む空間を形成する開口部縁の向かい合う対角の形状が、両側のなだらかな凸形状曲線の開口部縁の頂点の高さより低い凸形状曲線よりなる小さい突起を１個ずつ接して形づくられる開口部縁形状となる、ティッシュペーパー取り出し用開口部を構成とし、上記のティッシュペーパー取り出し用の開口部において、上記の向かい合う頂点の高さの異なるなだらかな凸形状曲線の最短の距離が１ｃｍ以上で、その最短距離の直線における中点から前述の頂点の突形状曲線に接するなだらかな凹形状曲線の開口部端までの距離が２ｃｍ以下であり、かつ、対角に位置するなだらかな凸形状曲線の開口部縁において、高さの高い方のなだらかな凸形状曲線の開口部縁同士の開口部中心を通過する最短距離の直線距離が３ｃｍ以上であり、かつ、前述の開口部中心を含む空間を形成する開口部縁の向かい合う対角に位置する小さい１個の突起の頂点の最短距離が５．５ｃｍ以上、であるために、ティッシュペーパー収納箱のティッシュペーパー取り出し用開口部縁の空間を広くすることができる。
【００１７】
上記００１５の作用は、２枚のティッシュペーパーを一組にして、その一組のティッシュペーパーを半折りにして複数枚交互に折り重ねて一束にした、ティッシュペーパーにおいて、一束のティッシュペーパーをティッシュペーパー収納箱に挿入後、ティッシュペーパー収納箱の開口部からはがす用のティッシュペーパーの包囲帯、を有したために、一束になったティッシュペーパーをティッシュペーパー収納箱にまとめて挿入することができ、その後でティッシュペーパーをまとめていた帯を外すことができる。
【発明の効果】
【００１８】
本発明のティッシュペーパー収納箱の一つは、ティッシュペーパー収納箱のティッシュペーパー取り出し用開口部縁の空間を広くすることができるために、ティッシュペーパー収納箱の開口部縁で指を挟みにくくすることができる、という効果を有する。
【００１９】
本発明のティッシュペーパー収納箱の一つは、一束になったティッシュペーパーをティッシュペーパー収納箱にまとめて挿入することができ、その後でティッシュペーパーをまとめていた帯を外すことができるために、簡便にティッシュペーパーをティッシュペーパー収納箱に挿入することができる、という効果を有する。
【図面の簡単な説明】
【００２０】
【図１】一般的なティッシュペーパー一例の簡略図
【図２】一般的なティッシュペーパー収納箱一例の簡略図
【図３】従来のティッシュペーパー収納箱一例の簡略図
【図４】本発明のティッシュペーパー収納箱一例の簡略図
【図５】本発明のティッシュペーパー収納箱一例の簡略図
【図６】本発明で使用可能であるティッシュペーパーの束一例の簡略図
【図７】本発明のティッシュペーパーの束一例の簡略図
【図８】本発明で使用可能であるティッシュペーパー包装フィルム一例の簡略図
【図９】本発明で使用可能であるティッシュペーパー包装フィルム一例の簡略図
【図１０】本発明のティッシュペーパー収納箱一例の簡略図
【発明を実施するための最良の形態】
【００２１】
図４は本発明の請求項１のティッシュペーパー収納箱のティッシュペーパーの折り目方向と平行又はほぼ平行な開口部中心を通過する直線（X-X'）を軸に開口部を１８０度回転すると非線対称であり、かつ、点対称であるティッシュペーパー取り出し用開口部一例の簡略図を示したものであり、
開口部中心を中点とした対角２対になだらかな凸形状曲線の開口部縁（２、２’）を有し、
その開口部縁は交互に設置され、、対角にある開口部縁の頂点の高さが同じ又はほぼ同じであり、かつ、向かい合う又は隣り合う開口部縁の頂点の高さ（２と２’）が異なり、
開口部中心の直径３ｍｍの円（a）以内及び開口部両端の直径２ｍｍの円以内（ｂ）の３カ所で必ず開口部縁又は蓋が存在せず開通した空間となり、
前述の２対のなだらかな凸形状曲線の開口部縁（２と２’）は、前述の３カ所の空間（aとｂ）の間に位置して形づくられ、
前述の開口部両端の直径２ｍｍ以上の空間（ｂ）を形成する両側の開口部縁（３）は、上記の向かい合い頂点の高さの異なるなだらかな凸形状曲線（２と２’）に接するなだらかな凹形状曲線により形づくられた開口部縁となり、
前述の開口部中心を含む空間（a）を形成する開口部縁の向かい合う対角の形状が、両側のなだらかな凸形状曲線の開口部縁の頂点の高さより低い凸形状曲線よりなる小さい突起（４）を１個ずつ接して形づくられる開口部縁形状となる、ティッシュペーパー取り出し用開口部を示したものである。
【００２２】
図５は本発明の請求項１のティッシュペーパー収納箱のティッシュペーパーの折り目方向と平行又はほぼ平行な開口部中心を通過する直線（X-X'）を軸に開口部を１８０度回転すると非線対称であり、かつ、点対称であるティッシュペーパー取り出し用開口部一例の簡略図を示したものであり、
上記のティッシュペーパー取り出し用の開口部において、上記の向かい合う頂点の高さの異なるなだらかな凸形状曲線（２と２’）の最短の距離（Ｊ）が１ｃｍ以上であり、
かつ、対角に位置するなだらかな凸形状曲線の開口部縁において、高さの高い方のなだらかな凸形状曲線の開口部縁（２と２）同士の開口部中心を通過する最短距離（ｈ）が３ｃｍ以上であり、（Ｋ）が請求項１に記載の「その最短距離の直線における中点から前述の頂点の突形状曲線に接するなだらかな凹形状曲線の開口部端までの距離」を示し、前述の開口部中心を含む空間を形成する開口部縁の向かい合う対角に位置する小さい１個の突起（４）の頂点の最短距離（ｉ）が５．５ｃｍ以上である、ティッシュペーパー取り出し用開口部を示したものである。
【００２３】
また、（ｋ）は１ｃｍ以下の長さが好ましく、溝を浅く設けることにより、指が入りにくくできる。
【００２４】
図６は本発明で使用可能であるティッシュペーパーの束の簡略図を示し、（５）はティッシュペーパーの束で、従来のものでは、１６０組や２００組などを一束にしたものなどがあり、本発明で使用する組数は何組であっても本発明の条件を満たすものであればその種類は限定しない。
【００２５】
図７は本発明の請求項２の簡略図一例を示し、（Ａ）は斜め上から見た図で、（Ｂ）は図７の（Ａ）を真上から見た図であり、（６）は請求項２の帯、（７）は帯に設けられたミシン目、（８）は帯に設けられた帯をちぎりやすくするための突起である。
【００２６】
図８は本発明で使用可能である本発明の一束のティッシュペーパーを包装するシートパックの簡略図を示し、（Ａ）はシートパックを斜め上から見た図であり、（Ｂ）は（Ａ）の断面図である。
【００２７】
（９）のパッケージには本発明の商品関連の絵や文字などを印刷したり、他の企業などの広告などを印刷するなどその種類は限定しない。
【００２８】
図９は本発明で使用可能である本発明の複数のティッシュペーパーを包装するシートパックの簡略図を示し、（１０）と（１１）は包装用フィルムであり、（Ａ）の（１０）と（１１）が接近した角の部分同士を接着し、（Ｂ）で卍形状にフィルムを巻いて４カ所のスペースを作りそのスペースに束になったティッシュペーパーを包装するものである。
【００２９】
（Ｂ）のそれぞれのスペースは独立しているために、一区画のティッシュペーパーの束を取り出しても他の区画の束は秘密性を保つことができる。
【００３０】
図９の（Ｃ）は（Ｂ）の構造を有したフィルムが一つずつのティッシュペーパーの束を包装するものであり、（Ｄ）は（Ｂ）の構造を有したフィルムが一つの区画に二つのティッシュペーパーの束を包装できるものである。
【００３１】
また、ティッシュペーパーの束の包装の種類は限定しない。
【実施例】
【００３２】
図１０本発明の請求項１の簡略図一例を示し、（１３）は本発明の開口部を有した収納箱の上蓋であり、（１４）はティッシュペーパーを収納する収納箱部分である。
【００３３】
本発明で使用する収納箱の形状や構造や材質などアクリルやプラスチックなどの高分子化合物やガラスや金属やゴムなど、その種類は限定しない。
【００３４】
本発明の実施態様は以下の通りである。
１．本発明の請求項の条件を満たすものであれば、それらの形状や材質の種類は限定しない。
【符号の説明】
【００３５】
１：ティッシュペーパー  、１’：ティッシュペーパーの折り目    、２・２’：なだらかな凸形状曲線の開口部縁 、３：開口部縁  、４：小さい突起  、５：ティッシュペーパーの束  、６：帯  、７：帯を切るためのミシン目  、８：帯を切るための持ち手  、９：フィルムパック  、  １０・１１・１２：フィルム  、  １３：上蓋  、  １４：収納箱の底
【図１】
2013227053.tif 000003
【図２】
2013227053.tif 000004
【図３】
2013227053.tif 000005
【図４】
2013227053.tif 000006
【図５】
2013227053.tif 000007
【図６】
2013227053.tif 000008
【図７】
2013227053.tif 000009
【図８】
2013227053.tif 000010
【図９】
2013227053.tif 000011
【図１０】
2013227053.tif 000012